(57)【特許請求の範囲】
【請求項１】
押下自在な押圧操作部（２５）が突出する挿通孔（１８）を備えたケース（１０ａ）と、
押下自在に設けられた押圧部（２５）の押圧操作によって動作されるプッシュスイッチ（４０）と、
前記挿通孔（１８）から突出する押下自在な押圧操作部（２５）を構成する第１の剛性体と、
前記プッシュスイッチ（４０）の押圧部（４１）と当接する第２の剛性体（２６）と、
前記第１の剛性体（２５）と前記第２の剛性体（２６）との間にスポンジ（２７）を積層して一体化した延長アダプター（３０）を前記ケース（１０ａ）の裏面と前記プッシュスイッチ（４０）の間に備え、
前記スポンジ（２７）は、前記押圧操作部（２５）を押し下げたときに、前記プッシュスイッチ（４０）が導通状態となるまでは収縮せず、前記プッシュスイッチ（４０）が導通状態となり前記押圧部（４１）がフルストロークまで押し下げられたのち収縮可能となる弾性力を有した緩衝部（２７）として働くように構成したことを特徴とするスイッチ構造。
【請求項２】
上記延長アダプターを支持するガイド部材をさらに備え、前記ガイド部材は、前記延長アダプターを取り囲んで配置されたことを特徴とする請求項１に記載のスイッチ構造。
【発明の詳細な説明】
【技術分野】
【０００１】
この発明は、延長アダプターを備えたプッシュスイッチのスイッチ構造と延長アダプターに関するものである。
【背景技術】
【０００２】
プッシュスイッチは、操作用として用いるばかりでなく、センサとしても用いられる。例えば、（特許文献１）のように、プリント基板に搭載したプッシュスイッチの押圧部をケースの挿通孔から突出させ、突出させた押圧部が充電池を装着した際に作動するようにして、充電池の装着の有無を検出して充電回路を作動するのに使用される。
【０００３】
しかし、上記のように、プッシュスイッチをセンサとして用いる場合、プッシュスイッチの押圧部を直接ケースの挿通孔から突出させているものでは、組立て時にプッシュスイッチの押圧部をケースに設けた小さな挿通孔に通さねばならず、プッシュスイッチを搭載したプリント基板の取り付けが難しくなる問題がある。また、プッシュスイッチの押圧部がケースに設けられた挿通孔から突出するような位置にプリント基板を設けなければならないため、プリント基板のプッシュスイッチが搭載された面には、プッシュスイッチより高さの高い部品を搭載することができないといった問題もある。
【０００４】
そのため、図５のように、樹脂などで形成された延長アダプター１をプッシュスイッチ３に取り付ければ、延長アダプター１の挿通孔から突出する部分の大きさを変更することが可能であるため、組立作業をある程度容易化することができる。また、プリント基板のプッシュスイッチが搭載された面に、プッシュスイッチより高さの高い部品の搭載も可能となる。
【０００５】
ところで、先のように延長アダプター１を使用する場合に、例えば、タクティールスイッチなどのストローク距離の小さなものを用いると、前記アダプター１のケースの挿通孔からの突出部分が短く（少なく）なり、充電池が少しでも浮いてしまうと、ケースと充電池の係合が外れて、スイッチがオフとなってしまう。そのため、充電池が浮いていることに気付かずに充電に失敗したり、また、充電池の浮き方によっては、前記スイッチ３のオン・オフ動作を繰り返させてしまい、充電池や充電回路に過負荷をかけたりする問題がある。
【０００６】
このような問題を解決する一つの方法として、例えば、図６の（特許文献２）に示すように、押圧操作ノブ２とプッシュスイッチ３の押圧部４との間に弾性スペーサ５を介在させることが考えられる。このような方法を採用することにより、例えば、押圧操作ノブを突起（ピン）としてケースの挿通孔から突出させるようにし、プッシュスイッチの押圧面との間に弾性スペーサを介在させて突起に押圧を加えると、撓んだ弾性スペーサ５の反発荷重によりプッシュスイッチの押圧部が押圧され、図示しないプッシュスイッチ内の導電性薄板バネを反転させると同時に、弾性スペーサ５の撓みが解除されることによって伸長してプッシュスイッチの押圧部を押すので、その撓む分だけケースの挿通孔からの突出量（長さ）を長くしてスイッチのストローク距離を長くできる。そのため、例えば、充電池が少し浮いても、プッシュスイッチがオンの状態を保持できるので、充電の失敗を防止したり、充電池や充電回路への過負荷を防止したりできるというものである。
【特許文献１】特開２００１−１６７９６号公報
【特許文献２】特開平１１−４００００号公報
【発明の開示】
【発明が解決しようとする課題】
【０００７】
しかしながら、上記の弾性スペーサを介在させるものでは、押圧操作ノブと弾性スペーサの２つの部品を組み付けて（そのため、押圧操作ノブに弾性スペーサを嵌める押圧端部を設けている）、その組み付けた部品をプッシュスイッチの押圧部に当接させて取り付けねばならず、部品数の増加や組立て工数の増加が問題である。
【０００８】
また、上記のものでは、押圧後は、弾性スペーサは撓んだ状態となるので、撓んだ状態のスペーサが元の状態にもどるための復元力が常にスイッチに加わることになり、スイッチにダメージを与えることも考えられる。
【０００９】
そこで、この発明の課題は、部品数を少なく、組立て工数を減少しつつ、スイッチのストローク距離を長くできるようにすることである。また、押圧後の復元力がスイッチにダメージを与えないようにすることである。
【課題を解決するための手段】
【００１０】
上記の課題を解決するため、請求項１の発明では、押下自在な押圧操作部が突出する挿通孔を備えたケースと、押下自在に設けられた押圧部の押圧操作によって動作されるプッシュスイッチと、前記挿通孔から突出する押下自在な押圧操作部を構成する第１の剛性体と、前記プッシュスイッチの押圧部と当接する第２の剛性体と、前記第１の剛性体と前記第２の剛性体との間に弾性体を積層して一体化した延長アダプターを前記ケースの裏面と前記プッシュスイッチとの間に備えた構成を採用したのである。
【００１１】
このような構成を採用することにより、延長アダプターは押下自在な押圧操作部を構成する第１の剛性体と、プッシュスイッチの押圧部と当接する第２の剛性体と、第１の剛性体と第２の剛性体との間に弾性体を積層して一体化した構成なので、部品数が一つになる。また、この延長アダプターをケースの孔とスイッチの押圧部の間に取り付ければ組立てが完了し、組立て工数も少なくて済む。さらに、第１の剛性体と第２の剛性体との間の弾性体は、押圧操作部を押し下げたときに、プッシュスイッチが導通状態となるまで収縮せず、プッシュスイッチが導通状態となり押圧部がフルストロークまで押し下げられたのち、収縮可能となる弾性力を有した緩衝部として働く。また、延長アダプターに押圧が加わると、プツシュシュスイッチの押圧部を押してプッシュスイッチが導通したのち、緩衝部が縮むので緩衝部が縮む分だけ前記スイッチのストローク距離を長くできる。さらに、緩衝部は縮んで、押圧操作部を介してプッシュスイッチの押圧部へかかる押圧を吸収するので、導通後のスイッチに過大な押圧が加わることもない。また、押圧後は、例えば、充電池が少し浮いてもプッシュスイッチが導通状態のまま、前記緩衝部が伸長してプッシュスイッチの導通状態を維持できるので、充電の失敗を防止したり、充電池や充電回路への過負荷を防止したりできる。
【００１２】
請求項２の発明では、延長アダプターを支持するガイド部材をさらに備え、前記延長アダプターを取り囲んで配置した構成を採用することにより、延長アダプターをケースの挿通孔とスイッチの押圧部だけで支持するよりも安定して支持できるので、延長アダプターの転倒を防止できる。
【発明の効果】
【００１３】
この発明は、上記のように構成したことにより、部品数や組立て工数を少なくして、プッシュスイッチのストローク距離を拡大できる。そのため、スイッチ動作を安定にできる。また、押圧後の復元力がスイッチに加わらないようしてダメージを与えないようにできる。
【発明を実施するための最良の形態】
【００１４】
以下、この発明を実施するための最良の形態を図面に基づいて説明する。図１に、この発明のスイッチ構造を適用した無線機用の充電器１０を示す。
【００１５】
前記充電器１０は、図２に示すように、充電回路用のプリント基板１１を収容したケース本体１０ａの上部に携帯式の無線機１２を載置する装着部１０ｂを形成した構造となっている。
【００１６】
ケース本体１０ａは、図２のように、底面全体を開口１３として開放し、その開放した開口１３に金属製の裏蓋１４をネジ止めする構造となっている。また、この開口１３横のケース本体１０ａの前面に、表示用のＬＥＤ素子１５を取り付ける取り付け孔１６が設けられている。
【００１７】
一方、ケース本体１０ａ上部の装着部１０ｂは、図１のように、両側と背面に支持壁１９を設け、前方を開放した形状となっている。
【００１８】
前記支持壁１９は、両側に位置決め用の突部２０を形成し、背面に嵌入溝２１を形成して、前記突部２０が装着した無線機１２と係合し、無線機１２の端子と背面の嵌入溝２１に挿通する充電端子２２とが接触するようにしてある。この背面の嵌入溝２１は、下方のケース本体１０ａに貫通孔２３で連通しており、図２のように、プリント基板１１に立設した充電端子２２を挿通するようになっている。
【００１９】
また、装着部１０ｂの装着面には、挿通孔１８を設けて、無線機１２が載置されたことでかかる荷重によって押し下げられる押圧操作部２５が突出させてある。前記押圧操作部２５は、特許請求の範囲に記載の第１の剛性体に対応し、挿通孔１８から突出する押圧操作部を構成する。また、延長アダプター３０は、この押圧操作部２５と当接部２６との間に緩衝部２７を設けた構造となっている。前記当接部２６は、特許請求の範囲に記載の第２の剛性体に対応する。
【００２０】
この押圧操作部２５は、挿入孔１８から突出される部分をピン状とし、ピンの周囲に四角形の鍔状のストッパを設けた逆Ｔ字型のものとなっている。また、当接部２６は、ここでは平板を採用し、後述する検出スイッチ（タクティールスイッチ）４０の押圧部４１に当接し易いようにしてある。緩衝部２７は、この形態では、押圧で収縮する弾性体としてスポンジを立方体に成型したものを使用しており、前記押圧操作部２５の鍔状のストッパと当接部２６の平板間に、接着剤や粘着テープで固定されている。延長アダプター３０は、前記押圧操作部２５と緩衝部２７と当接部２６を積層したサンドイッチ構造を有している。そのため、押圧操作部２５に押圧が加わると前記スポンジが収縮してクッションのように作用する。
【００２１】
この延長アダプター３０は、先に述べたとおり、図２のように、ケース１０の装着部１０ｂの挿通孔１８に押圧操作部２５のピン状部分を挿入し、当接部２６を検出スイッチ４０の押圧部４１に当接させる。このとき、この形態では、挿通孔の周囲にガイドとしてガイド壁４５を設け、延長アダプター３０を嵌入しても転倒しないようにしてある。
【００２２】
検出スイッチ４０は、ストローク距離の短いノンロック式のタクティールスイッチで、プリント基板１１上に取り付けられている。また、前記スイッチ４０のオン・オフによって、無線機１２が装着部１０ｂに載置されているか否かが検出され、プリント基板１１上の充電回路の作動が制御される。
【００２３】
プリント基板１１は、ケース本体１０ａの開口１３と同じ形状で、開口１３よりも少し小さく形成されており、ケース本体１０ａ内に設けられたスペーサ４６で支持（固定）するようになっている。また、このプリント基板１１は、パターン面１１ｂに充電回路用の回路素子（図示せず）を搭載し、部品面１１ａに先述の検出スイッチ４０の他、ＬＥＤ素子１５、充電端子や電源（ＡＣアダプター）アダプターポート（図示せず）を搭載したものである。なお、図中符号５０は、電源（ＡＣアダプター）アダプターポートへのアクセス孔である。
【００２４】
この形態は、上記のように構成されており、この延長アダプター３０は、先のガイド壁４５に囲まれた中に、前記押圧操作部２５のピン状部分を先にして嵌入し、プリント基板１１を検出スイッチ４０が取り付けられた部品面１１ａ側をケース本体１０ａの開口１３側に対向させて嵌入する。すると、検出スイッチ４０の押圧部４１が延長アダプター３０の当接部２６に当接し、延長アダプター３０の前記押圧操作部２５のストッパが挿通孔１８の周囲に当接し、挿通孔１８から前記押圧操作部２５のピン状部分が突出して取り付けが完了する。
【００２５】
このように、取り付けの完了した延長アダプター３０は、ガイド壁４５に支持されるので転倒することはない。また、延長アダプター３０は、押圧操作部２５と当接部２６との間に緩衝部２７を積層して一体化しているので、部品数が一つになり、延長アダプター３０をケース本体１０ａの挿通孔１８と検出スイッチ４０の押圧部４１の間に取り付ければ組立てが完了するので、組立て工数も少なくて済む。
【００２６】
使用に際しては、図３（ａ）のように、装着部１０ｂに何も置かれていないときは、延長アダプター３０の押圧操作部２５には、押圧が加わらないので、緩衝部２７は収縮しない。このため、前記押圧操作部２５は、例えば、挿通孔１８の周囲に、押圧操作部２５の鍔状のストッパが当接し、挿通孔１８から突出した状態で保持される。この状態で、装着部１０ｂに無線機１２が装着されると、図３（ｂ）のように、押圧操作部２５が無線機１２の底部に押されて延長アダプター３０が下降し、検出スイッチ４０の押圧部４１を押してオンにする。こののち、無線機１２によって押圧操作部２５が、さらに押されると、図３（ｃ）のように、緩衝部２７がクッションのように収縮し、押圧を吸収して過大な押圧が検出スイッチ４０に加わるのを防止する。また、充電後に装着部１０ｂに装着した無線機１２を取外すと、オンの場合と逆に、押圧された図３（ｃ）の延長用アダプター３０は、収縮した緩衝部２７が無線機１２の押圧から解放されて、図３（ｂ）のように、もとの大きさに伸長し、検出スイッチ４０の押圧部４１が上昇して延長アダプター３０を持ち上げ、図３（ａ）の状態に戻る。
【００２７】
このため、充電中に無線機１２が、例えばグラついて、装着部１０ｂから一瞬浮いて離れた場合でも、緩衝部２７が伸長する間はオン状態を維持できるので、不用意に検出スイッチ４０をオフさせることはない。
【００２８】
このように延長アダプター３０は、緩衝部２７が収縮と伸長をすることにより、検出スイッチ４０の押圧部４１のストローク距離を大きくできるので、スイッチ動作を安定させることができる。
【実施例１】
【００２９】
この実施例１は、図４（ａ）、（ｂ）に示すように、延長アダプター３０の転倒を防止するガイド４５の他の態様を示すものである。
【００３０】
図４（ａ）は、プリント基板１１にガイド４５としてガイド壁を設けて、延長アダプター３０を支持できるようにしたものである。また、図４（ｂ）は、ガイド４５をカバーとして延長アダプター３０を被うようにしたもので、前記カバー４５は、ケース１０の挿通孔１８と係合して延長アダプター３０の転倒を防止する。また、この場合、延長アダプター３０の検出部２５は、ピンを除いて邪魔にならないようにしてある。他の構成及び作用効果は、実施形態と同じなので、図１〜図２と同一符号を付して説明は省略する。
【産業上の利用可能性】
【００３１】
この発明は、延長アダプターを使用することで、部品数の減少と組立て工数の減少を図りつつ、ストローク距離の短いプッシュスイッチの動作を安定させることができるので、機器の装着の有無を検出するセンサばかりでなく、転倒スイッチや着座センサなど他の電気機器にも応用可能である。
【図面の簡単な説明】
【００３２】
【図１】実施形態の斜視図
【図２】実施形態の断面図
【図３】（ａ）、（ｂ）、（ｃ）実施形態の作用説明図
【図４】（ａ）、（ｂ）実施例１の作用説明図
【図５】従来例の作用説明図
【図６】他の従来例の作用説明図
【符号の説明】
【００３３】
１０ａ  ケース本体
２５  押圧操作部
２６  当接部
２７  緩衝部
３０  延長アダプター
４０  検出スイッチ
４１  押圧部
４５  ガイド壁
【図１】
0004985383.tif 000002
【図２】
0004985383.tif 000003
【図３】
0004985383.tif 000004
【図４】
0004985383.tif 000005
【図５】
0004985383.tif 000006
【図６】
0004985383.tif 000007